(57)【要約】      （修正有）【課題】水温を長時間維持することができるだけでなく、水温を迅速に低下させることができ、寒いときには暖を取る役割も果たすことができる、アイシング効果及び手暖め機能付きの保温保冷両用水筒を提供する。【解決手段】水筒は、内から順に套設されたライナー１１と、中間層１３と、ハウジング１２とを備え、ライナーと中間層との間にライナーを完全に隔離しない真空層１４が形成され、ライナーの真空層で隔離されない部分に熱伝導面１１１が形成され、ハウジングと中間層及び熱伝導面との間に、流動可能な熱伝導液１７が注入された熱伝導層１５が形成され、熱伝導液は、中間層及び真空層を介してライナーと隔離され、熱伝導面に接触するときに熱伝導を行う。液体の温度を維持する真空層を有するだけでなく、ライナー内の液体の温度を低下させる又は液体の温度をハウジングに伝導する必要があるときに、熱伝導面と熱伝導液の十分な接触により熱伝導を容易に実現する。【選択図】図１
0003230338.tif 000002
【実用新案登録請求の範囲】
【請求項１】
内から順に套設されたライナーと、中間層と、ハウジングとを備え、
前記ライナーと前記中間層との間に前記ライナーを完全に隔離しない真空層が形成されており、
前記ライナーの前記真空層で隔離されない部分に熱伝導面が形成されており、
前記ハウジングと前記中間層及び前記熱伝導面との間に、流動可能な熱伝導液が注入された熱伝導層が形成されており、
前記熱伝導液は、前記中間層及び前記真空層を介して前記ライナーと隔離され、前記熱伝導面に接触するときに熱伝導を行うことを特徴とする、
保温保冷両用水筒。
【請求項２】
前記熱伝導層は、真空、半真空、又はガスで満たされることを特徴とする請求項１に記載の保温保冷両用水筒。
【請求項３】
前記ライナー、前記中間層及び前記ハウジングは、いずれも頂部に開口する円柱水筒状であることを特徴とする請求項１に記載の保温保冷両用水筒。
【請求項４】
前記中間層の頂部開口及び前記ハウジングの頂部開口は、いずれも前記ライナーの外壁と密閉接続されており、前記熱伝導面は、前記中間層の頂部開口と前記ハウジングの頂部開口との間に位置することを特徴とする請求項３に記載の保温保冷両用水筒。
【請求項５】
前記ライナーの底部と前記中間層の底部との間の真空層の幅は、前記ライナーの周壁と前記中間層の周壁との間の真空層の幅よりも大きいことを特徴とする請求項４に記載の保温保冷両用水筒。
【請求項６】
前記真空層の幅は、前記中間層の頂部から底部へ徐々に広くなっていることを特徴とする請求項４又は５に記載の保温保冷両用水筒。
【請求項７】
前記ハウジングの底部と前記中間層の底部との間の熱伝導層の幅は、前記ハウジングの周壁と前記中間層の周壁との間の熱伝導層の幅よりも大きいことを特徴とする請求項３に記載の保温保冷両用水筒。
【請求項８】
前記熱伝導液は、容器が直立するときに前記ハウジングの底部と前記中間層の底部との間に位置し、前記容器が転倒するときに前記熱伝導面に接触するまで流れることを特徴とする請求項３に記載の保温保冷両用水筒。
【請求項９】
前記ライナーの底部は、円弧状に凹むように設けられ、前記中間層の底部は、円錐状に凹むように設けられ、前記ハウジングの底部は、中間が円柱状に凹み、外輪が円柱環状に凹むように設けられていることを特徴とする請求項３に記載の保温保冷両用水筒。
【請求項１０】
前記ハウジングの底部に保護底カバーが套設されていることを特徴とする請求項９に記載の保温保冷両用水筒。
【考案の詳細な説明】
【技術分野】
【０００１】
本考案は、日常生活用品に関し、特に、アイシング効果及び手暖め機能付きの保温保冷両用水筒に関する。
【背景技術】
【０００２】
保温水筒又は保温瓶などの保温容器では、熱伝播は通常、放射及び伝導により、水筒ライナーと水筒本体との間のキャビティーの隙間により熱伝導を遅らせることができる。冬や外出に欠かせない保温水筒は、広く無数の家庭に普及している。従来の保温水筒は、熱流失を遅らせることができるが、機能が単一であり、緊急に給水が必要な場合に迅速に放熱して冷却できないので、口にやけどしてしまう。また、キャビティーにより熱伝導を遮断するので、水筒本体は、暖を取ったりキャビティー内の水温を感知する役割を果たすことができない。
【考案の概要】
【考案が解決しようとする課題】
【０００３】
本考案は、主に、従来技術の欠点に対して、熱流失を遅らせ、水温を長時間維持することができるだけでなく、緊急に給水が必要な場合に水温を迅速に低下させることができ、寒いときに放熱することで暖を取る役割を果たすことができる、アイシング効果及び手暖め機能付きの保温保冷両用水筒を提供する。
【課題を解決するための手段】
【０００４】
本考案で用いられる技術方案は、内から順に套設されたライナーと、中間層と、ハウジングとを備え、前記ライナーと前記中間層との間に前記ライナーを完全に隔離しない真空層が形成されており、前記ライナーの前記真空層で隔離されない部分に熱伝導面が形成されており、前記ハウジングと前記中間層及び前記熱伝導面との間に、流動可能な熱伝導液が注入された熱伝導層が形成されており、前記熱伝導液は、前記中間層及び前記真空層を介して前記ライナーと隔離され、前記熱伝導面に接触するときに熱伝導を行う保温保冷両用水筒である。
本考案に係る保温保冷両用水筒のいくつかの実施例において、前記熱伝導層は、真空、半真空とし、或いはガスで満たされる。
本考案に係る保温保冷両用水筒のいくつかの実施例において、前記ライナー、前記中間層及び前記ハウジングは、いずれも頂部に開口する円柱水筒状である。
本考案に係る保温保冷両用水筒のいくつかの実施例において、前記中間層の頂部開口及び前記ハウジングの頂部開口は、いずれも前記ライナーの外壁と密閉接続されており、前記熱伝導面は、前記中間層の頂部開口と前記ハウジングの頂部開口との間に位置する。
本考案に係る保温保冷両用水筒のいくつかの実施例において、前記ライナーの底部と前記中間層の底部との間の真空層の幅は、前記ライナーの周壁と前記中間層の周壁との間の真空層の幅よりも大きい。
本考案に係る保温保冷両用水筒のいくつかの実施例において、前記真空層の幅は、前記中間層の頂部から底部へ徐々に広くなっている。
本考案に係る保温保冷両用水筒のいくつかの実施例において、前記ハウジングの底部と前記中間層の底部との間の熱伝導層の幅は、前記ハウジングの周壁と前記中間層の周壁との間の熱伝導層の幅よりも大きい。
本考案に係る保温保冷両用水筒のいくつかの実施例において、前記熱伝導液は、容器が直立されるときに前記ハウジングの底部と前記中間層の底部との間に位置し、前記容器が転倒されるときに前記熱伝導面に接触するまで流れる。
本考案に係る保温保冷両用水筒のいくつかの実施例において、前記ライナーの底部は、円弧状に凹むように設けられ、前記中間層の底部は、円錐状に凹むように設けられ、前記ハウジングの底部は、中間が円柱状に凹み、外輪が円柱環状に凹むように設けられている。
本考案に係る保温保冷両用水筒のいくつかの実施例において、前記ハウジングの底部に保護底カバーが套設されている。
【０００５】
本考案は、液体の温度を維持するための真空層を有するだけでなく、ライナー内の液体の温度を低下させたり液体の温度をハウジングに伝導する必要があるときに、熱伝導面と熱伝導液の十分な接触により熱伝導を容易に実現する点で他の保温容器又は手暖め機能付きの保温保冷両用水筒と差異がある。
本考案の実施例における技術方案をより明らかに説明するために、以下、実施例の説明に必要な図面を簡単に紹介する。以下の説明における図面は、本考案のいくつかの実施例に過ぎないことが明らかであり、当業者にとって、創造的労働を必要としない前提で、依然としてこれらの図面に基づいて他の図面を得ることができる。
【図面の簡単な説明】
【０００６】
【図１】本考案の実施例に係る保温保冷両用水筒内に半分の水が入り直立している状態の模式図である。
【図２】本考案の実施例に係る保温保冷両用水筒内に半分の水が入り転倒している状態の模式図である。
【考案を実施するための形態】
【０００７】
以下、特定の具体的な例により本考案の実施形態を説明する。当業者は、本明細書に開示された内容により本考案の他の利点及び効果を容易に理解することができる。本考案は、別の異なる具体的な実施形態により実施又は応用することもできる。本明細書における各細部も、異なる観点及び応用に基づいて、本考案の精神から逸脱することなく様々な修飾又は変更を行うことができる。
【０００８】
以下、図面及び具体的な実施例を参照しながら、本考案についてさらに詳細に説明する。
図１及び図２を参照する。本考案の実施例は、アイシング効果及び手暖め機能付きの保温保冷両用水筒を提供する。一般的な二層容器又は二層真空容器との差異は、一般的な二層容器又は二層真空容器がライナー及びハウジングの二層のみを含むのに対し、本考案の実施例においてライナー１１、ハウジング１２及び中間層１３からなる三層の構造を含むことにある。本実施例において、ライナー１１、中間層１３及びハウジング１２は、いずれも頂部に開口する円柱水筒状である。ライナー１１の内部は、液体１０（湯、熱茶、冷水又は氷水及び氷水混合物など）を収容するための収容空間として形成されており、中間層１３は、ライナー１１の外部に套設され、頂部開口が溶接又はその他のプロセスにより密閉接続されている。ライナー１１と中間層１３との間には、密閉した真空層１４が形成されており、真空層１４は、真空引きにより真空又は半真空状態を形成し、ライナー１１内に盛られた液体１０の長時間保温を実現する。中間層１３の頂部開口は、ライナー１１の頂部開口よりも低く、ライナー１１の底部及び約３／４の中下部の外側には、密閉した真空層１４が形成されており、当該真空層１４の約１／４の中上部は、真空層１４を介して隔離されずに、ライナー１１の熱伝導面１１１として形成されている。即ち、ライナー１１は、真空層４を介して完全に隔離されない。
【０００９】
ハウジング１２は、中間層１３及びライナー１１の外部に套設されており、その頂部開口がライナー１１の外壁と溶接又はその他のプロセスにより密閉接続されている。ハウジング１２と中間層１３及びライナー１１の熱伝導面１１１との間には、熱伝導液１７が注入された熱伝導層１５が形成されており、熱伝導液１７の液面は、容器が直立されるときにライナー１１の下方で、中間層１３の底面をほぼ水没させる位置にある。図１に示すように、このとき、熱伝導液１７は、重力作用で常に容器の底部に位置し、中間層１３及び真空層１４を介してライナー１１と長時間隔離することで、長時間保温の効果を達成する。熱伝導層１５は、真空、半真空状態としてもよいし、空気又はその他のガスで満たされてもよい。
【００１０】
手暖め（ライナー内に高温の液体、例えば、湯を入れる）又はアイシング（ライナー内に冷水、氷水及び氷水混合物又は他の低温の液体を入れる）を必要とする場合には、容器を転倒させることができる（転倒させながら水筒本体を揺さぶると、効果がより好ましい）。このとき、熱伝導液１７は、重力作用で容器の口部に近い位置に集まり、ライナー１１の熱伝導面１１１に直接接触する。図２に示すように、このとき、ライナー内の液体１０の温度は、熱伝導液１７によりハウジング１２の外部に迅速に伝導し、ハウジング１２の温度を迅速に上昇させて手暖め効果を達成することができ（液体１０が高温の液体、例えば湯である場合）、或いはハウジング１２の温度を迅速に低下させてアイシング効果を達成することができる（内部に冷水、氷水及び氷水混合物又は他の低温の液体を入れる場合）。
【００１１】
ライナー１１内の液体１０の量が少ない（図１に示すような「半分の水で直立される」）場合、液体１０は、重力作用でライナー１１の底部に集まって熱伝導層１５から遠く離れるので、保温効果がより好ましく、保温時間がより長く、手暖め又はアイシング効果は、熱伝導液１７の位置の転倒図（図２を参照）での効果が同じであるので、影響を受けない。液体１０が高温の液体であり、すぐに飲むのに適しない場合に、容器を転倒させる或いは転倒させながら揺さぶることにより熱伝導液１７をライナー１１の熱伝導面１１１に接触させることができ、このようにして容器のライナーの温度を容器のハウジングに伝導させ、或いは液体１０の温度を直接飲用可能な温度に低下させる。
【００１２】
ライナー１１の頂部における熱伝導面１１１は、中間層１３の頂部開口とハウジング１２の頂部開口との間に位置する。ライナー１１の頂部開口は、ハウジング１２との密閉接続に続いて上へ延伸して瓶の首１８を形成し、ライナー内の液体を飲用しやすくし、或いは、当該瓶の首１８の外壁にネジをさらに設け、雌ネジを有する水筒カバー（図示せず）と組み合わせる。ネジにより水筒カバーと瓶の首を締め、ライナー内の液体に対して保温密閉の効果を果たす。
【００１３】
図１を参照する。本考案の実施例におけるアイシング効果及び手暖め機能付きの保温保冷両用水筒は、以下の特徴をさらに有する。
（１）ライナー１１の底部と中間層１３の底部との間の真空層１４の幅は、ライナー１１の周壁と中間層１３の周壁との間の真空層の幅よりも大きい。真空層１４の幅は、中間層１３の頂部から底部へ徐々に広くなっている。
（２）ハウジング１２の底部と中間層１３の底部との間の熱伝導層１５の幅は、ハウジング１２の周壁と中間層１３の周壁との間の熱伝導層１５の幅よりも大きい。
（３）熱伝導液１７は、容器が直立されるときにハウジング１２の底部と中間層１３の底部との間に位置し、容器が転倒されるときにライナー１１の熱伝導面１１１に接触するまで流れる。
（４）ライナー１１の底部は、円弧状に凹むように設けられ、中間層１３の底部は、円錐状に凹むように設けられ、ハウジング１２の底部は、中間が円柱状に凹み、外輪が円柱環状に凹むように設けられている。
（５）ハウジング１２の底部に保護底カバー１６が套設されている。
【００１４】
本考案は、液体の温度を維持するための真空層を有するだけでなく、ライナー内の液体の温度を低下させる又は液体の温度をハウジングに伝導する必要があるときに、熱伝導面と熱伝導液の十分な接触により熱伝導を容易に実現する点で他の保温容器又は手暖め機能付きの保温保冷両用水筒と差異がある。日常使用の際、熱伝導液は、揺れても真空断熱された箇所のみに接触し、正常な保温モードにある。転倒の状況で熱伝導液を伝熱面に接触させるだけで、伝熱変温モードをオンにする。つまり、保温モードと変温モードとの間に「スイッチ」を設けることにより、使用者は、本考案に係る保温保冷両用水筒を使用するときに、保温モードと変温モードとを自主的に切り替えることができる。
【００１５】
説明すべきこととして、本明細書に添付の図面に示される構造、比率、大きさなどは、いずれも明細書に開示された内容と組み合わせて当業者が理解及び閲覧するためのものであり、本考案の実施可能な限定条件を限定するためのものではないので、技術上の実質的な意義を有していない。いかなる構造の修飾、比例関係の変更及び大きさの調整も、本考案で生じ得る効果及び達成可能な目的に影響を与えることなく、依然として本考案に開示された技術内容に含まれ得る範囲に入るはずである。また、本明細書に引用された「上」、「下」、「左」、「右」、「中間」及び「１つ」などの用語も、説明を明らかにするためのものに過ぎず、本考案の実施可能な範囲を限定するためのものではなく、その相対関係の変更又は調整は、技術内容を実質的に変更することなく、同様に本考案の実施可能な範囲と見なされるはずである。
【００１６】
以上の記載は、本考案の好ましい実施例に過ぎず、本考案に対していかなる形式上の制限もしない。本考案は、既に好ましい実施例により以上のように開示されたが、好ましい実施例は、本考案を限定するためのものではない。いかなる当業者も、本考案の技術方案の範囲から逸脱することなく、以上に開示された技術内容により、同等変化の等価実施例となるようにいくつかの変更又は修飾を行うことができるはずである。本考案の技術方案から逸脱しない内容であれば、本考案の技術実質により以上の実施例に対して行ういかなる簡単な修正、同等変化及び修飾も、依然として本考案の技術方案の範囲に属する。
【図１】
0003230338.tif 000003
【図２】
0003230338.tif 000004